(57)【要約】【課題】手元が暗い場所でも電線の挿入確認および被覆部の皮むき長さを確認することができる端子台を提供すること。【解決手段】電線９が挿入される電線挿入穴が上面に形成された樹脂素材の端子台ケース１０と、端子台ケース１０の内部に収納され、端子を有する導電接触部片５と、端子台ケース１０の内部に収納され、導電接触部片５の端子に電線９を押さえつける電線接触用バネ４と、端子台ケース１０の内部に収納され、電線挿入穴に挿入された電線９の状態に応じて、端子台ケース１０の側面かつ電線挿入穴の水平方向に形成された第一凸部用穴１ｅａから外部へ飛び出す第一凸部２と、端子台ケース１０の内部に収納され、電線挿入穴に挿入された電線９の状態に応じて、端子台ケース１０の側面かつ端子台ケース１０の内部の底面１ｈの水平方向に形成された第二凸部用穴１ｆａから外部へ飛び出す第二凸部８と、を備えたものである。【選択図】図１
2014239005.tif 000002
【特許請求の範囲】
【請求項１】
絶縁性の被覆部と、導体部とからなる電線が挿入される電線挿入穴が上面に形成された樹脂素材の端子台ケースと、
前記端子台ケースの内部に収納され、端子を有する導電接触部片と、
前記端子台ケースの内部に収納され、前記導電接触部片の前記端子に前記電線を押さえつける電線接触用バネと、
前記端子台ケースの内部に収納され、前記電線挿入穴に挿入された前記電線の状態に応じて、前記端子台ケースの側面かつ前記電線挿入穴の水平方向に形成された第一凸部用穴から外部へ飛び出す第一凸部と、
前記端子台ケースの内部に収納され、前記電線挿入穴に挿入された前記電線の状態に応じて、前記端子台ケースの側面かつ前記端子台ケースの内部の底面の水平方向に形成された第二凸部用穴から外部へ飛び出す第二凸部と、を備えた
ことを特徴とする端子台。
【請求項２】
前記電線挿入穴の底部に形成された挿入穴底部の穴の径は、前記電線の導体部の径より大きく、前記被覆部の径よりも小さい
ことを特徴とする請求項１に記載の端子台。
【請求項３】
前記電線挿入穴から前記電線を挿入した際に、
前記第一凸部は、
前記電線の前記導体部の径では押し出されず、前記被覆部の径で押し出されて前記第一凸部用穴から外部へ飛び出し、
前記第二凸部は、
前記電線の端部が前記端子台ケースの内部の底面に到達した際に押し出されて前記第二凸部用穴から外部へ飛び出す
ことを特徴とする請求項１または２に記載の端子台。
【請求項４】
前記端子台ケースの内部に収納された樹脂素材の電線取り出しボタンを備え、
前記端子台ケースの上面に形成されたボタン用穴から前記電線取り出しボタンを押すと、前記導電接触部片の前記端子と前記電線接触用バネとから前記電線が解除される
ことを特徴とする請求項１〜３のいずれか一項に記載の端子台。
【発明の詳細な説明】
【技術分野】
【０００１】
本発明は、照明器具などに用いられる端子台に関するものである。
【背景技術】
【０００２】
従来の端子台において、電線導入穴に電線（電源線）を差し込むことで電線を介して照明器具のインバータに電力供給し、照明器具を点灯させるものがある（例えば、特許文献１参照）。
【先行技術文献】
【特許文献】
【０００３】
【特許文献１】特開２００９−１１０７３２号公報
【発明の概要】
【発明が解決しようとする課題】
【０００４】
特許文献１に記載の端子台では、施工時など手元が暗い場所で電線が挿入されたかどうかを確認しづらい。また、電線を挿入する際に絶縁性の被覆部の皮むき長さを確認することができず、端子台には電線の被覆部の皮むき長さを測定できるストリップゲージがあるが、暗い場所で確認しづらいという課題があった。
【０００５】
本発明は、以上のような課題を解決するためになされたもので、手元が暗い場所でも電線の挿入確認および被覆部の皮むき長さを確認することができる端子台を提供することを目的としている。
【課題を解決するための手段】
【０００６】
本発明に係る端子台は、絶縁性の被覆部と、導体部とからなる電線が挿入される電線挿入穴が上面に形成された樹脂素材の端子台ケースと、前記端子台ケースの内部に収納され、端子を有する導電接触部片と、前記端子台ケースの内部に収納され、前記導電接触部片の前記端子に前記電線を押さえつける電線接触用バネと、前記端子台ケースの内部に収納され、前記電線挿入穴に挿入された前記電線の状態に応じて、前記端子台ケースの側面かつ前記電線挿入穴の水平方向に形成された第一凸部用穴から外部へ飛び出す第一凸部と、前記端子台ケースの内部に収納され、前記電線挿入穴に挿入された前記電線の状態に応じて、前記端子台ケースの側面かつ前記端子台ケースの内部の底面の水平方向に形成された第二凸部用穴から外部へ飛び出す第二凸部と、を備えたものである。
【発明の効果】
【０００７】
本発明に係る端子台によれば、端子台に第一凸部および第二凸部を設けたため、電線の挿入確認および被覆部の皮むき長さを目視および手触りで実施することができる。
【図面の簡単な説明】
【０００８】
【図１】本実施の形態に係る端子台の分解斜視図である。
【図２】本実施の形態に係る端子台の斜視図である。
【図３】本実施の形態に係る端子台の平面図である。
【図４】本実施の形態に係る端子台の正面図である。
【図５】本実施の形態に係る端子台の右側面図である。
【図６】本実施の形態に係る端子台の背面図である。
【図７】本実施の形態に係る端子台の電線挿入穴に電線を挿入した際の端子台内部の概略図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態．
図１は、本実施の形態に係る端子台の分解斜視図、図２は、本実施の形態に係る端子台の斜視図、図３は、本実施の形態に係る端子台の平面図、図４は、本実施の形態に係る端子台の正面図、図５は、本実施の形態に係る端子台の右側面図、図６は、本実施の形態に係る端子台の背面図である。
なお、図２〜図６において、（入力用）電線挿入穴１ｂ１、１ｂ２に電線９を挿入した状態を示している。
【００１１】
本実施の形態に係る端子台は、端子台ケース上１と端子台ケース下７とからなる樹脂素材の端子台ケース１０で外観を構成している。端子台ケース上１の上面には、（送り用）電線挿入穴１ａ１、１ａ２、（入力用）電線挿入穴１ｂ１、１ｂ２、およびボタン用穴１ｄａ、１ｄｂ、がそれぞれ複数（本実施の形態ではそれぞれ２個）形成されている。また、端子台ケース上１の正面側の側面および背面側の側面には、第一凸部用穴１ｅａ１、１ｅａ２、第二凸部用穴１ｆａ１、１ｆａ２、および器具内配線挿入穴１ｃ１、１ｃ２が、それぞれ複数（本実施の形態ではそれぞれ２個）形成されている。なお、第一凸部用穴１ｅａ１、１ｅａ２は（送り用）電線挿入穴１ａ１、１ａ２の水平方向に、第二凸部用穴１ｆａ１、１ｆａ２は端子台（端子台ケース１０）の内部の底面１ｈの水平方向にそれぞれ形成されている（後述する図７参照）。
【００１２】
端子台（端子台ケース１０）の内部には、樹脂素材の電線取り外しボタン３、電線接触用バネ４、導電接触部片５、アースバネ６、第一凸部２、および第二凸部８がそれぞれ収納されている。
【００１３】
電線挿入穴１ａ１、１ａ２は送り用電線、電線挿入穴１ｂ１、１ｂ２は入力用電線、器具内配線挿入穴１ｃ１、１ｃ２は器具内配線（の端部）が、それぞれ挿入される。そして、それらは端子台（端子台ケース１０）の内部で電線接触用バネ４と導電接触部片５とによって、電線挿入穴１ａ１、電線挿入穴１ｂ１、および器具内配線挿入穴１ｃ１と、電線挿入穴１ａ２、電線挿入穴１ｂ２、および器具内配線挿入穴１ｃ２とが、それぞれ電気的に接続される。そのため、それらに挿入された電線同士も電気的に接続される。
なお、以下に符号の添え字１および２を省略し、それらの両方を示す場合がある。また、以下、送り用電線および入力用電線を単に電線９と称する。
【００１４】
ボタン用穴１ｄａ、１ｄｂからは、端子台（端子台ケース１０）の内部に収納された電線取り外しボタン３が押せるようになっており、これを押すことで電線挿入穴１ａ（または電線挿入穴１ｂ）に挿入されている電線９（の端部）を、端子台から取り外すことができる。それぞれの電線取り外しボタン３は、押されることによりそれぞれの電線取り外しボタン３の両脇の電線挿入穴１ａ（または電線挿入穴１ｂ）に挿入された電線９（の端部）を、電線接触用バネ４と導電接触部片５とから解除する。
【００１５】
第一凸部用穴１ｅａ１、１ｅａ２からは第一凸部２が、第二凸部用穴１ｆａ１、１ｆａ２からは第二凸部８が、それぞれ電線挿入穴１ａ（または電線挿入穴１ｂ）に電線９を挿入した際に押し出される仕組みになっているが、これについては後述する。
【００１６】
導電接触部片５は、（電線用）端子５ａ、（配線用）端子５ｂ、および配線接触用バネ５ｃを有する。電線挿入穴１ａ（または電線挿入穴１ｂ）から電線９が挿入されると、電線９（の端部）は電線接触用バネ４のバネ作用により、電線接触用バネ４の先端部によって（電線用）端子５ａに押し付けられる。また、器具内配線挿入穴１ｃから器具内配線が挿入されると、器具内配線の端部は配線接触用バネ５ｃのバネ作用により、配線接触用バネ５ｃの先端部によって（配線用）端子５ｂに押し付けられる。
一方、電線取り外しボタン３を押すと、電線接触用バネ４の先端部による（電線用）端子５ａへの押し付けが弱まり、電線９（の端部）が電線接触用バネ４と導電接触部片５とから解除される。
また、アースバネ６は、アースをとり、導電接触部片５と電気的に接続されている。
【００１７】
図７は、本実施の形態に係る端子台の電線挿入穴１ｂに電線９を挿入した際の端子台内部の概略図である。（ａ）は、第一凸部２付近の内部概略図、（ｂ）は、電線９の端部が端子台（端子台ケース１０）の内部の底面１ｈまで届いていないときの内部概略図、（ｃ）は、電線９の端部が端子台（端子台ケース１０）の内部の底面１ｈまで届いているときの内部概略図である。
電線９を端子台（端子台ケース１０）の内部の（電線用）端子５ａと電気的に接続させるため、電線９の端部の絶縁性の被覆部９ａをむいて、端部の導体部９ｂから（入力用）電線挿入穴１ｂに挿入する。
ここで、挿入穴底部１ｇの穴の径は電線９の導体部９ｂの径より大きく、被覆部９ａの径よりも小さくなっている。そのため、電線９を電線挿入穴１ｂに挿入すると、電線９の被覆部９ａと導体部９ｂの境目が挿入穴底部１ｇに位置する。
【００１８】
電線９を電線挿入穴１ｂに挿入し、電線９の端部が端子台（端子台ケース１０）の内部の底部に到達すると、図７（ｃ）に示すように第二凸部８（の斜面部）が押し出されることにより、端子台ケース上１の側面の第二凸部用穴１ｆａから第二凸部８（の一部）が外部へ飛び出す。そして、その第二凸部８を目視または触れることで、電線９が端子台に挿入され、端子台内部の底部に到達しているかどうかの確認をすることができる。なお、図７（ｂ）に示すように第二凸部８が外部へ飛び出さなかったら電線９の端部の被覆部９ａをむいた長さ（以降、被覆部９ａの皮むき長さと称する）が短いことを示している。そのため、第二凸部８を確認することにより、被覆部９ａの皮むき長さが確認でき、短いことによって発生する端子５ａへの接触不良などを抑制することができる。
【００１９】
また、第一凸部２は、電線９の導体部９ｂの径だと第一凸部２（の斜面部）は押し出されないが、電線９の被覆部９ａの径だと第一凸部２の斜面部が押し出され、端子台ケース上１の側面の第一凸部用穴１ｅａから第一凸部２（の一部）が外部へ飛び出す。そして、その第一凸部２を目視または触れることで、被覆部９ａの皮むき長さの確認をすることができる。なお、図７（ａ）に示すように第一凸部２が外部へ飛び出さなかったら被覆部９ａの皮むき長さが長いことを示している。そのため、第一凸部２を確認することにより、被覆部９ａの皮むき長さが確認でき、長いことによって発生する漏電などによる火災を抑制することができる。
【００２０】
以上より、端子台に第一凸部２および第二凸部８を設け、電線９を端子台に挿入した際に、第一凸部２と第二凸部８の両方が押し出されていれば、電線９が端子台に挿入されていることを確認でき、さらに被覆部９ａの皮むき長さが適切であることを示している。これによりストリップゲージを使用しなくても、被覆部９ａの皮むき長さが適切かどうかを判断することができる。
一方、第一凸部２だけが押し出されていれば、被覆部９ａの皮むき長さが短いことを示しており、長さをより長く調整する必要がある。
また、第二凸部８だけが押し出されていれば、被覆部９ａの皮むき長さが長いことを示しており、長さをより短く調整する必要がある。
そのため、手元が暗い場所でも電線９の挿入確認および被覆部９ａの皮むき長さを目視および手触りで実施することができる。
【符号の説明】
【００２１】
１  端子台ケース上、１ａ１  （送り用）電線挿入穴、１ａ２  （送り用）電線挿入穴、１ｂ１  （入力用）電線挿入穴、１ｂ２  （入力用）電線挿入穴、１ｃ１  器具内配線挿入穴、１ｃ２  器具内配線挿入穴、１ｄａ  ボタン用穴、１ｄｂ  ボタン用穴、１ｅａ１  第一凸部用穴、１ｅａ２  第一凸部用穴、１ｆａ１  第二凸部用穴、１ｆａ２  第二凸部用穴、１ｇ  挿入穴底部、１ｈ  端子台（ケース）の内部の底面、２  第一凸部、３  電線取り外しボタン、４  電線接触用バネ、５  導電接触部片、５ａ  （電線用）端子、５ｂ  （配線用）端子、５ｃ  配線接触用バネ、６  アースバネ、７  端子台ケース下、８  第二凸部、９  電線、９ａ  被覆部、９ｂ  導体部、１０  端子台ケース。
【図１】
2014239005.tif 000003
【図２】
2014239005.tif 000004
【図３】
2014239005.tif 000005
【図４】
2014239005.tif 000006
【図５】
2014239005.tif 000007
【図６】
2014239005.tif 000008
【図７】
2014239005.tif 000009